(57)【特許請求の範囲】
【請求項１】
乗込口から乗込み可能な可倒の安全柵をケージ上部に備えたエレベータケージであって、
前記安全柵は、該安全柵を起こしたときに当該安全柵が倒れないように固定する挿脱可能な固定部材を備え、
前記固定部材は、前記安全柵を倒したときに前記乗込口の間口方向に固定されることを特徴とするエレベータケージ。
【請求項２】
乗込口から乗込み可能な可倒の安全柵をケージ上部に備えたエレベータケージであって、
前記安全柵は、前記ケージ上部に固設された複数の支柱部材と、前記支柱部材に回動可能に接合された一対の手摺部材と、前記一対の手摺部材を起こしたときに前記一対の手摺部材の間に渡って配置され前記手摺部材が倒れないように保持する着脱可能な固定部材を備え、
前記手摺部材は、該手摺部材を倒したときに前記乗込口を封鎖するように形成されたことを特徴とするエレベータケージ。
【請求項３】
前記支柱部材は、前記回動可能な手摺部材の回転角度を制限するストッパを備えたことを特徴とする請求の範囲第２項記載のエレベータケージ。
【請求項４】
前記手摺部材は、該手摺部材を倒したときに前記ケージ上部を覆うように形成されたことを特徴とする請求の範囲第２項又は第３項記載のエレベータケージ。
【請求項５】
前記請求の範囲第１項〜第４項のいずれか１項記載のエレベータケージを備えたことを特徴とするエレベータ装置。
【発明の詳細な説明】
【０００１】
【発明の属する技術分野】
本発明は、エレベータケージ及びエレベータ装置に関し、特に、エレベータ装置の保守・点検時に作業者が作業するための安全柵をケージ上部に備えたエレベータケージ及びエレベータ装置に関する。
【０００２】
【従来の技術】
従来から、エレベータ装置の保守・点検をするための可倒式の安全柵をケージ上部に備えたエレベータケージが知られている。
【０００３】
以下、図５を用いて、既知のエレベータケージについて説明する。図５ａ及び図５ｂは、既知のエレベータケージの保守・点検時の状態を示す斜視図及び側面図である。同図に示すように、エレベータケージ１のケージ上部１ａに設けられた安全柵は、主として、支持部材３、前後の柱部材４ａ、４ｂ、手摺部材５、アーム部材６にて構成されている。
【０００４】
ここで、支持部材３は、ケージ上部１ａに固設されている。そして、前側の柱部材４ａの端部は、支持部材３の中央部に、ピンにて回動可能に接合されている。後側の柱部材４ｂの端部は、支持部材３の端部に、ピンにて回動可能に接合されている。また、手摺部材５の一端は、前側の柱部材４ａの端部に、ピンにて回動可能に接合されている。そして、手摺部材５の他端は、後側の柱部材４ｂの端部に、２つの柱部材４ｂを連結するピンにて回動可能に接合されている。さらに、アーム部材６は、一端が後側の柱部材４ｂの中央部にピンにて回動可能に接合され、他端が支持部材３の中央部から後側柱部材４ｂ寄りの位置にピンにて回動可能に接合されている。
【０００５】
ここで、アーム部材６は、主として、ピンで接合された２つの板材と、そのピン近傍に設けられて２つの板材の回動を制限するストッパとで構成されている。
そして、エレベータ装置の保守・点検を行う際には、まず、作業者がエレベータケージ１のドア２が設けられた方向から、ケージ上部１ａに乗込む。そして、安全柵を起こして、ストッパにてアーム部材６の２つの板材の回転運動を制限する。こうすることで、各部材間の回動も制限される。そして、作業者は、安全柵によって身を守られながら、転落することなく所望の作業を行うことになる。
【０００６】
図５ｃは、既知のエレベータケージの通常時の状態を示す側面図である。同図に示すように、保守・点検時以外の通常時には、エレベータケージ１の上方の空間を確保するために、安全柵は折りたたまれる。詳しくは、アーム部材６のストッパを解除して、２つの板材をピン部にて回転可能とする。これにより、各部材はピン部で回転可能となって、安全柵が折りたたまれることになる。
【０００７】
【発明が解決しようとする課題】
しかし、このような既知のエレベータケージでは、安全柵がケージ上部１ａに対して平面的に折りたたまれるために、作業者が安全柵を組立てることなく、ケージ上部１ａに容易に乗込むことができる。そして、作業者は、安全柵を立てずに、そのまま作業することができるために、エレベータケージからの作業者の転落を確実に防止できないという問題があった。
【０００８】
したがって、本発明は、このような従来のエレベータケージの問題を解決して、保守・点検時には作業者によって確実に安全柵が起こされて、エレベータケージからの作業者の転落を確実に防止するエレベータケージ及びエレベータ装置を提供することを目的とする。
【０００９】
【課題を解決するための手段】
本発明は、エレベータケージのケージ上部に組立てられる安全柵に挿脱可能な固定部材を備え、安全柵を倒したときに乗込口の間口方向に固定部材を固定したものである。これによって、作業者は、保守・点検を行うときに、ケージ上部へ乗込むために固定部材を取り外して、その固定部材を用いて安全柵を組立てることになり、安全柵を組立てずに作業することを回避することができる。
【００１０】
また、本発明は、エレベータケージのケージ上部に組立てられる安全柵に支柱部材と手摺部材とを備え、手摺部材を支柱部材に回動可能に接合し、手摺部材を倒したときに乗込口を遮断するように形成したものである。これによって、作業者は、保守・点検を行うときに、ケージ上部へ入るために手摺部材を起こして安全柵を組立てることになり、安全柵を組立てずに作業することを回避することができる。
【００１１】
また、本発明は、上述の改良されたエレベータケージの支柱部材に、手摺部材の回転角度を制限するストッパを備えたものである。これによって、保守・点検時以外には、手摺部材を任意の位置に倒して、作業者のケージ上部への乗込みを確実に防止することができる。
【００１２】
また、本発明は、上述の改良されたエレベータケージの手摺部材を、手摺部材を倒したときにケージ上部を覆うように形成したものである。これによって、手摺部材を倒したときに作業者の足場が確保されず直立不可能となるので、手摺部材を倒した状態での作業者のケージ上部での作業を防止することができる。
【００１３】
また、本発明は、上述の改良されたエレベータケージをエレベータ装置に備えたものである。これによって、保守・点検時には安全柵を確実に起こして作業することになり、安全柵を組立てずに作業することを回避することができる。
【００１４】
【発明の実施の形態】
実施の形態１．
図１は、本発明の第一の実施の形態にかかるエレベータケージ（エレベータのかご室）を示す斜視図である。詳しくは、図１ａは、第一の実施の形態にかかるエレベータケージの保守・点検時の状態を示す斜視図であり、図１ｂは、第一の実施の形態にかかるエレベータケージの通常時の状態を示す斜視図である。
【００１５】
図１ａ及び図１ｂにおいて、１はエレベータケージであり、ドア２（かご出入口）から、人が出入りしたり、荷物を出入れすることになる。
【００１６】
１ａはエレベータケージ１のケージ上部であり、ケージ上部１ａの上（ケージ外側）には可倒式の安全柵（かご上手摺装置）が設けられている。また、ケージ上部１ａは、作業者がその上に乗込んで保守・点検の作業をできるように平坦に形成されている。
【００１７】
ケージ上部１ａに設けられた安全柵は、主として、支柱部材９、手摺部材７、固定部材８にて構成されており、ドア２側が開放されて作業者用の乗込口となっている。そして、これらの部材は、例えば、材質が鋼材であり、曲げ加工が施されＬ字の断面形状を有する。
【００１８】
ここで、４つの支柱部材９は、ケージ上部１ａの各コーナに、それぞれ溶接等で固設されている。なお、ドア２側に固設される２つの支柱部材９は、上部に、ブラケット１３が溶接等で形成されている。また、支柱部材９は、段付ねじ１１が挿入される長穴を、端部に有する。
【００１９】
そして、手摺部材７は、段付ねじ１１が取付けられるめねじ部を端部に有し、ねじ１２が挿入されるねじ締結用穴を角部に有する。そして、手摺部材７は、ドア２側の支柱部材９と背面側（ドア２と反対側）の支柱部材９との間に入り込ませて、長穴を貫通させた段付ねじ１１にて、支柱部材９に回動可能に結合される。また、固定部材８は、両端部にめねじ部を有しており、手摺部材７のねじ締結用穴を貫通させたねじ１２にて、双方の手摺部材７に締結可能となっている。
【００２０】
まず、以上のように構成された安全柵における収納手順について説明する。保守・点検時には、図１ａに示すように、２つの手摺部材７が起こされた状態で、それらの手摺部材７の回転を制限するために、固定部材８が２つの手摺部材７間にねじ１２により締結されている。また、この状態での固定部材８は、手摺部材７と同様に、作業時における安全柵の手摺としても機能する。そして、作業者は、ケージ上部１ａのドア２側を乗込口として、ケージ上部１ａに乗込み作業を行うことになる。
【００２１】
そして、保守・点検を終了したときには、まず、手摺部材７に固定された固定部材８が、作業者により取り外される。次に、手摺部材７を、支柱部材９の長穴の形状に沿うように上方にスライドさせた後に、図１ｂの矢印方向に倒す。その後、作業者は、ケージ上部１ａから降りて、固定部材８を支柱部材９のブラケット１３に固定する。
【００２２】
これに対して、通常時から保守・点検時への安全柵の組立手順は、上述の安全柵の収納手順の逆の手順となる。
【００２３】
以上述べたように、保守・点検時以外の通常時には、作業者のケージ上部１ａへの乗込みを妨げるように、固定部材８が、ケージ上部１ａのドア２側の左右の支柱部材９のブラケット１３に、取付けられている。すなわち、固定部材８が、安全柵の乗込口の間口方向に固定され、作業用空間への作業者の出入を封鎖する。これにより、作業者が保守・点検を開始するときには、必ず、面前にある固定部材８を取り外すことになり、これが安全柵を組立てるきっかけになる。したがって、安全柵を起こし忘れたまま作業をする可能性を排除することができる。
【００２４】
実施の形態２．
図２は、本発明の第二の実施の形態にかかるエレベータケージを示す斜視図である。詳しくは、図２ａは、第二の実施の形態にかかるエレベータケージの保守・点検時の状態を示す斜視図であり、図２ｂは、第二の実施の形態にかかるエレベータケージの通常時の状態を示す斜視図である。
【００２５】
本第二の実施の形態は、主として、支柱部材９の構成が、上記の第一の実施の形態と相違する。すなわち、図２ａ及び図２ｂに示すように、支柱部材９の中央部には、ストッパ９ａが設けられている。ストッパ９ａは、支柱部材９の一部を曲げ加工にて、曲げ元からほぼ直角となるように形成したものである。そして、ストッパ９ａは、図２ｂに示すように、手摺部材７を回転させて倒したときに、その回転角度を制限するものである。
【００２６】
なお、固定部材８は、保守・点検時には図２ａに示すように手摺部材７に締結され、通常時には図２ｂに示すようにケージ上部１ａの所定の位置に収納される。
【００２７】
また、１４は結束用のバンドを示し、双方の手摺部材７を折りたたんだ後に、それらを結束する部材である。これにより、双方の手摺部材７は折りたたみ後、乗込口をふさぐように、確実に固定されることになる。
【００２８】
また、その他の部材の構成と作用については、上記の第一の実施の形態と同等である。
【００２９】
以上述べたように、保守・点検時以外の通常時には、作業者のケージ上部１ａへの乗込みを妨げるように、双方の手摺部材７が折りたたまれている。すなわち、倒された手摺部材７が、作業用空間への作業者の出入を封鎖する。これにより、作業者が保守・点検を開始するときには、必ず、面前にある手摺部材７を起こすことになり、これが安全柵を組立てるきっかけになる。したがって、安全柵を起こし忘れたまま作業をする可能性を排除することができる。
【００３０】
実施の形態３．
図３は、本発明の第三の実施の形態にかかるエレベータケージを示す斜視図である。詳しくは、図３ａは、第三の実施の形態にかかるエレベータケージの保守・点検時の状態を示す斜視図であり、図３ｂは、第三の実施の形態にかかるエレベータケージの通常時の状態を示す斜視図である。
【００３１】
本第三の実施の形態は、主として、手摺部材７と支柱部材９の構成が、上記の第二の実施の形態と相違する。すなわち、図３ａ及び図３ｂに示すように、支柱部材９の中央部には、図２のストッパ９ａに相当する部材が設けられていない。そのため、手摺部材７を回転させて倒していくと、その先端がケージ上部１ａに接触した状態でその回転は止まる。そして、図３ｂに示すように、折りたたまれた手摺部材７は、作業用空間への作業者の乗込みを封鎖する。
【００３２】
さらに、手摺部材７には、その手摺部とほぼ平行に、ステー１０が溶接等で接合されている。これによって、図３ｂに示すように、手摺部材７を倒したときにステー１０が、作業者の足場を封鎖することになる。すなわち、ステー１０を有する手摺部材７が、ケージ上部１ａを覆い、ケージ上部１ａでの作業空間を封鎖する。
【００３３】
以上述べたように、保守・点検時以外の通常時には、作業者のケージ上部１ａへの乗込みを妨げるように手摺部材７が折りたたまれており、かつ、作業者の足場が確保されないようにステー１０が設けられているために、手摺部材７を倒した状態での作業者のケージ上部１ａでの作業を確実に防止することができる。したがって、安全柵を起こし忘れたまま作業をする可能性を排除することができる。
【００３４】
実施の形態４．
図４は、本発明の第四の実施の形態にかかるエレベータケージを示す斜視図である。詳しくは、図４ａは、第四の実施の形態にかかるエレベータケージの保守・点検時の状態を示す斜視図であり、図４ｂは、第四の実施の形態にかかるエレベータケージの通常時の状態を示す斜視図である。
【００３５】
本第四の実施の形態は、主として、手摺部材７と支柱部材９の構成が、上記の第二の実施の形態と相違する。すなわち、図４ａ及び図４ｂに示すように、支柱部材９の中央部には、図２のストッパ９ａに相当する部材が設けられていない。また、手摺部材７は、支柱部材９の外側に重ねて、支柱部材９に回動可能に結合されている。
【００３６】
詳しくは、手摺部材７は、段付ねじ１１が挿入されるねじ締結用穴を、端部に有する。一方、支柱部材９は、ケージ上部１ａの各コーナにそれぞれ溶接等で固設されている。また、支柱部材９は、段付ねじ１１が取付けられるめねじ部を、端部に有する。そして、手摺部材７は、段付ねじ１１にて支柱部材９に、回動可能に結合される。
【００３７】
以上のように構成された安全柵において、保守・点検を終えたときには、図４ａに示す保守・点検時の状態から、まず、手摺部材７に締結された固定部材８が、作業者により取り外され、ケージ上部１ａの所定の位置に収納される。次に、手摺部材７を、図４ｂの矢印方向に倒しながら、作業者は、エレベータケージ１から降りる。
【００３８】
ここで、本第四の実施の形態では、図２のストッパ９ａに相当する部材がない。ところが、図４ｂに示すように、手摺部材７を回転させて倒していくと、支柱部材７の先端部が手摺部材７の内壁の一部と当接するため、手摺部材７はそれ以上回転することなく、その位置で停止する。なお、支柱部材７の先端形状を変更することにより、手摺部材７の回転可能な角度を、ある程度任意に設定することができる。
【００３９】
以上述べたように、保守・点検時以外の通常時には、作業者のケージ上部１ａへの乗込みを妨げるように、手摺部材７が折りたたまれている。すなわち、倒された手摺部材７が、作業用空間への出入を封鎖する。これにより、作業者が保守・点検を開始するときには、必ず、面前にある手摺部材７を起こすことになり、これが安全柵を組立てるきっかけになる。したがって、安全柵を起こし忘れたまま作業をする可能性を排除することができる。
【００４０】
【発明の効果】
以上のように、本発明にかかるエレベータケージは、ケージ上部に組立てられる安全柵に挿脱可能な固定部材を備え、安全柵を倒したときにその固定部材をケージ上部への乗込みを妨げるように固定したものである。これによって、作業者は、保守・点検を行うときに、ケージ上部へ乗込むために固定部材を取り外して、その固定部材を用いて安全柵を忘れずに組立てることになるため、保守・点検中の作業者の転落を防止することができるエレベータケージとして有用である。
【００４１】
また、本発明にかかるエレベータケージは、ケージ上部に組立てられる安全柵に支柱部材と手摺部材とを備え、手摺部材を支柱部材に回動可能に接合し、手摺部材を倒したときにケージ上部への乗込みを妨げるように形成したものである。これによって、作業者は、保守・点検を行うときに、ケージ上部へ乗込むために手摺部材を起こして安全柵を忘れずに組立てることになるため、保守・点検中の作業者の転落を防止することができるエレベータケージとして有用である。
【００４２】
また、本発明にかかるエレベータケージは、可倒式の手摺部材の回転角度を制限するストッパを、支柱部材に備えたものである。これによって、保守・点検時以外には、手摺部材を任意の位置に倒して、作業者のケージ上部への乗込みを確実に防止するため、保守・点検中の作業者の転落を防止することができるエレベータケージとして有用である。
【００４３】
また、本発明にかかるエレベータケージは、可倒式の手摺部材を倒したときに、手摺部材がケージ上部を覆うように形成したものである。これによって、手摺部材を倒した状態では作業者の足場が確保されず、保守・点検を開始する際に安全柵を忘れずに組立てることになるため、保守・点検中の作業者の転落を防止することができるエレベータケージとして有用である。
【００４４】
また、本発明にかかるエレベータ装置は、ケージ上部に設けられた安全柵を倒したときにケージ上部への乗込みを妨げる部材を有するエレベータケージを備えたものである。これによって、保守・点検を開始する際の安全柵の起こし忘れが軽減されるため、保守・点検中の作業者の転落を防止することができるエレベータ装置として有用である。
【図面の簡単な説明】
【００４５】
図１ａ及び図１ｂは、この発明にかかる好ましい第一のエレベータケージの保守・点検時の状態及び通常時の状態を示す斜視図である。
図２ａ及び図２ｂは、この発明にかかる好ましい第二のエレベータケージの保守・点検時の状態及び通常時の状態を示す斜視図である。
図３ａ及び図３ｂは、この発明にかかる好ましい第三のエレベータケージの保守・点検時の状態及び通常時の状態を示す斜視図である。
図４ａ及び図４ｂは、この発明にかかる好ましい第四のエレベータケージの保守・点検時の状態及び通常時の状態を示す斜視図である。
図５ａ及び図５ｂは、既知のエレベータケージの保守・点検時の状態を示す斜視図及び側面図であり、図５ｃは、既知のエレベータケージの通常時の状態を示す側面図である。
【図１ａ】
0004839566.tif 000002
【図１ｂ】
0004839566.tif 000003
【図２ａ】
0004839566.tif 000004
【図２ｂ】
0004839566.tif 000005
【図３ａ】
0004839566.tif 000006
【図３ｂ】
0004839566.tif 000007
【図４ａ】
0004839566.tif 000008
【図４ｂ】
0004839566.tif 000009
【図５ａ】
0004839566.tif 000010
【図５ｂ】
0004839566.tif 000011
【図５ｃ】
0004839566.tif 000012